(57)【特許請求の範囲】
【請求項１】
基地局がキャリア構成情報を端末に送信するステップであって、前記キャリア構成情報は、前記端末に関して構成されることができる複数のキャリアを決定するのに使用され、前記端末に関して構成されることができるキャリアの数量は、前記端末によって同時に使用されることができるキャリアの数量より多い、送信するステップと、
前記基地局が、前記端末に関して構成されることができる前記複数のキャリアにおける異なる複数のキャリアを使用することによって、異なる複数の伝送時間間隔ＴＴＩにおいてアップリンク受信を実行するステップと、
基地局がキャリア構成情報を端末に送信する前記ステップの前に、前記基地局が、前記端末によって送信される前記端末のキャリア能力を受信するステップであって、前記キャリア能力は、前記端末によって同時に使用されることができるキャリアの前記数量を備える、受信するステップ
を備える通信方法。
【請求項２】
前記キャリア構成情報は、前記端末に関して構成されることができる前記複数のキャリアにおける各キャリア上で実行されるアップリンク伝送の開始ＴＴＩおよび伝送サイクルを備える請求項１に記載の方法。
【請求項３】
前記基地局が、前記端末に関して構成されることができる前記複数のキャリアにおける異なる複数のキャリアを使用することによって、異なる複数の伝送時間間隔ＴＴＩにおいてアップリンク受信を実行する前記ステップは、
前記端末に関して構成されることができる前記複数のキャリアにおける各キャリアに関して、前記キャリアに対応する開始ＴＴＩから開始して、前記基地局が、前記キャリアに対応する伝送サイクルを使用することによって前記キャリア上で、前記端末によって送信されるサウンディング基準信号ＳＲＳを受信するステップを備える請求項２に記載の方法。
【請求項４】
同一の開始ＴＴＩおよび同一の伝送サイクルに対応し、かつ前記端末に関して構成されることができる前記複数のキャリアにおけるキャリアの最大数量は、前記端末によって同時に使用されることができるキャリアの前記数量である請求項２または３に記載の方法。
【請求項５】
前記基地局が、前記端末に関して構成されることができる前記複数のキャリアにおける異なる複数のキャリアを使用することによって、異なる複数の伝送時間間隔ＴＴＩにおいてアップリンク受信を実行する前記ステップの前に、
前記基地局が、異なるキャリアを使用することによってＳＲＳ送信命令を前記端末に送信するステップをさらに備える方法であって、
前記基地局が、前記端末に関して構成されることができる前記複数のキャリアにおける異なる複数のキャリアを使用することによって、異なる複数のＴＴＩにおいてアップリンク受信を実行する前記ステップは、
前記基地局が、前記ＳＲＳ送信命令を送信するのに使用される前記異なるキャリアを使用することによって、異なる複数のＴＴＩにおいて、前記ＳＲＳ送信命令に従って前記端末によって送信されるＳＲＳを受信するステップを備える請求項１に記載の方法。
【請求項６】
前記基地局が、前記端末に関して構成されることができる前記複数のキャリアにおける異なる複数のキャリアを使用することによって、異なる複数の伝送時間間隔ＴＴＩにおいてアップリンク受信を実行する前記ステップの後に、
受信されたＳＲＳに関して、前記基地局が、前記ＳＲＳに従って、前記ＳＲＳを送信するのに使用されたキャリア上でダウンリンクキャリア処理を実行するステップをさらに備える請求項１乃至５のいずれか一項に記載の方法。
【請求項７】
前記端末に関して構成されることができる前記複数のキャリアは、前記基地局によって使用される前記キャリアを備える請求項１乃至６のいずれか一項に記載の方法。
【請求項８】
前記基地局が、前記端末に関して構成されることができる前記複数のキャリアにおける異なる複数のキャリアを使用することによって、異なる複数の伝送時間間隔ＴＴＩにおいてアップリンク受信を実行する前記ステップの前に、
前記基地局が、データ送信命令を前記端末に送信するステップをさらに備える方法であって、
前記基地局が、前記端末に関して構成されることができる前記複数のキャリアにおける異なる複数のキャリアを使用することによって、異なる複数の伝送時間間隔ＴＴＩにおいてアップリンク受信を実行する前記ステップは、
前記基地局が、前記端末に関して構成されることができる前記複数のキャリアにおける異なる複数のキャリアを使用することによって、異なる複数のＴＴＩにおいて、前記データ送信命令に従って前記端末によって送信されるアップリンクデータを受信するステップを備える請求項１に記載の方法。
【請求項９】
前記基地局が、前記端末に関して構成されることができる前記複数のキャリアにおける異なる複数のキャリアを使用することによって、異なる複数の伝送時間間隔ＴＴＩにおいてアップリンク受信を実行する前記ステップの後に、
前記基地局が、第１のＴＴＩにおいてアップリンクデータ伝送が実行される第１のキャリアが事前設定された条件を満たさず、かつ第２のキャリアが前記事前設定された条件を満たすと決定した場合、キャリア切換え命令を前記端末に送信するステップをさらに備える請求項８に記載の方法。
【請求項１０】
前記基地局が、前記第１のＴＴＩにおいてアップリンクデータ伝送が実行される前記第１のキャリアが前記事前設定された条件を満たさないと決定することは、
前記基地局が、前記第１のＴＴＩにおいてアップリンクデータ伝送が実行される前記第１のキャリアの負荷が事前設定された負荷閾値を超えており、かつ／または前記第１のキャリアの信号品質が事前設定された信号品質閾値以下であると決定することを備え、かつ
前記基地局が、前記第２のキャリアが前記事前設定された条件を満たすと決定することは、
前記基地局が、前記第２のキャリアの負荷が前記事前設定された負荷閾値以下であり、かつ／または前記第２のキャリアの信号品質が前記事前設定された信号品質閾値を超えていると決定することを備える請求項９に記載の方法。
【請求項１１】
端末が基地局によって送信されるキャリア構成情報を受信するステップと、
前記端末が、前記キャリア構成情報に従って前記端末に関して構成されることができる複数のキャリアを決定するステップであって、前記端末に関して構成されることができるキャリアの数量は、前記端末によって同時に使用されることができるキャリアの数量より多い、決定するステップと、
前記端末が、構成されることができる前記複数のキャリアにおける異なる複数のキャリアを使用することによって、異なる複数の伝送時間間隔ＴＴＩにおいてアップリンク送信を実行するステップと、
端末が基地局によって送信されるキャリア構成情報を受信する前記ステップの前に、前記端末が、前記端末のキャリア能力を前記基地局に送信するステップであって、前記キャリア能力は、前記端末によって同時に使用されることができるキャリアの前記数量を備える、送信するステップ
を備える通信方法。
【請求項１２】
前記キャリア構成情報は、前記端末に関して構成されることができる前記複数のキャリアにおける各キャリア上で実行されるアップリンク伝送の開始ＴＴＩおよび伝送サイクルを備える請求項１１に記載の方法。
【請求項１３】
前記端末が、構成されることができる前記複数のキャリアにおける異なる複数のキャリアを使用することによって、異なる複数の伝送時間間隔ＴＴＩにおいてアップリンク送信を実行する前記ステップは、
前記端末に関して構成されることができる前記複数のキャリアにおける各キャリアに関して、前記キャリアに対応する開始ＴＴＩから開始して、前記端末が、前記キャリアに対応する伝送サイクルを使用することによって前記キャリア上でサウンディング基準信号ＳＲＳを送信するステップを備える請求項１２に記載の方法。
【請求項１４】
同一の開始ＴＴＩおよび同一の伝送サイクルに対応し、かつ前記端末に関して構成されることができる前記複数のキャリアにおけるキャリアの最大数量は、前記端末によって同時に使用されることができるキャリアの前記数量である請求項１２または１３に記載の方法。
【請求項１５】
前記端末が、構成されることができる前記複数のキャリアにおける異なる複数のキャリアを使用することによって、異なる複数の伝送時間間隔ＴＴＩにおいてアップリンク送信を実行する前記ステップの前に、
前記端末が、異なるキャリアを使用することによって前記基地局によって送信されるＳＲＳ送信命令を受信するステップをさらに備える方法であって、
前記端末が、構成されることができる前記複数のキャリアにおける異なる複数のキャリアを使用することによって、異なる複数の伝送時間間隔ＴＴＩにおいてアップリンク送信を実行する前記ステップは、
前記端末が、前記ＳＲＳ送信命令を受信するのに使用される異なるキャリアを使用することによって、異なる複数のＴＴＩにおいてＳＲＳを送信するステップを備える請求項１１に記載の方法。
【請求項１６】
前記端末に関して構成されることができる前記複数のキャリアは、前記基地局によって使用される前記キャリアを備える請求項１２乃至１５のいずれか一項に記載の方法。
【請求項１７】
前記端末が、構成されることができる前記複数のキャリアにおける異なる複数のキャリアを使用することによって、異なる複数の伝送時間間隔ＴＴＩにおいてアップリンク送信を実行する前記ステップの前に、
前記端末が、前記基地局によって送信されるデータ送信命令を受信するステップをさらに備える方法であって、
前記端末が、構成されることができる前記複数のキャリアにおける異なる複数のキャリアを使用することによって、異なる複数の伝送時間間隔ＴＴＩにおいてアップリンク送信を実行する前記ステップは、
前記端末が、構成されることができる前記複数のキャリアにおける異なる複数のキャリアを使用することによって、異なる複数の伝送時間間隔ＴＴＩにおいて前記データ送信命令に従ってアップリンクデータを送信するステップを備える請求項１１に記載の方法。
【請求項１８】
前記端末が、構成されることができる前記複数のキャリアにおける異なる複数のキャリアを使用することによって、異なる複数の伝送時間間隔ＴＴＩにおいてアップリンク送信を実行する前記ステップの後に、
前記端末が、キャリア切換え命令を受信するステップと、
前記端末が、前記キャリア切換え命令に従って、第１のＴＴＩにおいて第１のキャリア上で伝送されるアップリンクデータを、第２のＴＴＩにおける伝送のために第２のキャリアに切り換えるステップとをさらに備える請求項１７に記載の方法。
【請求項１９】
キャリア構成情報を端末に送信するように構成された送信ユニットであって、前記キャリア構成情報は、前記端末に関して構成されることができる複数のキャリアを決定するのに使用され、前記端末に関して構成されることができるキャリアの数量は、前記端末によって同時に使用されることができるキャリアの数量より多い、送信ユニットと、
前記端末に関して構成されることができる前記複数のキャリアにおける異なる複数のキャリアを使用することによって、異なる複数の伝送時間間隔ＴＴＩにおいてアップリンク受信を実行するように構成された受信ユニットであって、前記受信ユニットは、前記端末によって送信される前記端末のキャリア能力を受信するようにさらに構成され、
前記キャリア能力は、前記端末によって同時に使用されることができるキャリアの前記数量を備える受信ユニットと
を備える通信デバイス。
【請求項２０】
前記キャリア構成情報は、前記端末に関して構成されることができる前記複数のキャリアにおける各キャリア上で実行されるアップリンク伝送の開始ＴＴＩおよび伝送サイクルを備える請求項１９に記載の通信デバイス。
【請求項２１】
前記受信ユニットが、前記端末に関して構成されることができる前記複数のキャリアにおける異なる複数のキャリアを使用することによって、異なる複数の伝送時間間隔ＴＴＩにおいてアップリンク受信を実行することは、特に、
前記端末に関して構成されることができる前記複数のキャリアにおける各キャリアに関して、前記キャリアに対応する開始ＴＴＩから開始して、前記受信ユニットが、前記キャリアに対応する伝送サイクルを使用することによって前記キャリア上で、前記端末によって送信されるサウンディング基準信号ＳＲＳを受信することである請求項２０に記載の通信デバイス。
【請求項２２】
同一の開始ＴＴＩおよび同一の伝送サイクルに対応し、かつ前記端末に関して構成されることができる前記複数のキャリアにおけるキャリアの最大数量は、前記端末によって同時に使用されることができるキャリアの前記数量である請求項２０または２１に記載の通信デバイス。
【請求項２３】
前記送信ユニットは、異なるキャリアを使用することによってＳＲＳ送信命令を前記端末に送信するようにさらに構成される、通信デバイスであって、
前記受信ユニットが、前記端末に関して構成されることができる前記複数のキャリアにおける異なる複数のキャリアを使用することによって、異なる複数のＴＴＩにおいてアップリンク受信を実行することは、特に、
前記受信ユニットが、前記ＳＲＳ送信命令を送信するのに使用される前記異なるキャリアを使用することによって、異なる複数のＴＴＩにおいて、前記ＳＲＳ送信命令に従って前記端末によって送信されるＳＲＳを受信することである請求項１９に記載の通信デバイス。
【請求項２４】
前記通信デバイスは、受信されたＳＲＳに関して、前記ＳＲＳに従って前記ＳＲＳを送信するのに使用されたキャリア上でダウンリンクキャリア処理を実行するように構成された処理ユニットをさらに備える請求項１９乃至２３のいずれか一項に記載の通信デバイス。
【請求項２５】
前記端末に関して構成されることができる前記複数のキャリアは、前記通信デバイスによって使用される前記キャリアを備える請求項１９乃至２４のいずれか一項に記載の通信デバイス。
【請求項２６】
前記送信ユニットは、データ送信命令を前記端末に送信するようにさらに構成される、通信デバイスであって、
前記受信ユニットが、前記端末に関して構成されることができる前記複数のキャリアにおける異なる複数のキャリアを使用することによって、異なる複数の伝送時間間隔ＴＴＩにおいてアップリンク受信を実行することは、特に、
前記受信ユニットが、前記端末に関して構成されることができる前記複数のキャリアにおける異なる複数のキャリアを使用することによって、異なる複数のＴＴＩにおいて、前記データ送信命令に従って前記端末によって送信されるアップリンクデータを受信することである請求項１９に記載の通信デバイス。
【請求項２７】
第１のＴＴＩにおいてアップリンクデータ伝送が実行される第１のキャリアが事前設定された条件を満たさず、かつ第２のキャリアが前記事前設定された条件を満たすと決定するように構成された決定ユニットをさらに備える通信デバイスであって、
前記送信ユニットは、前記決定ユニットが、前記第１のＴＴＩにおいてアップリンクデータ伝送が実行される前記第１のキャリアが前記事前設定された条件を満たさず、かつ前記第２のキャリアが前記事前設定された条件を満たすと決定した場合、キャリア切換え命令を前記端末に送信するようにさらに構成される請求項２６に記載の通信デバイス。
【請求項２８】
前記決定ユニットが、前記第１のＴＴＩにおいてアップリンクデータ伝送が実行される前記第１のキャリアが前記事前設定された条件を満たさないと決定することは、特に、
前記決定ユニットが、前記第１のＴＴＩにおいてアップリンクデータ伝送が実行される前記第１のキャリアの負荷が事前設定された負荷閾値を超えており、かつ／または前記第１のキャリアの信号品質が事前設定された信号品質閾値以下であると決定することであり、かつ
前記決定ユニットが、前記第２のキャリアが前記事前設定された条件を満たすと決定することは、特に、
前記決定ユニットが、前記第２のキャリアの負荷が前記事前設定された負荷閾値以下であり、かつ／または前記第２のキャリアの信号品質が前記事前設定された信号品質閾値を超えていると決定することである請求項２７に記載の通信デバイス。
【請求項２９】
基地局によって端末に送信されるキャリア構成情報を受信するように構成された受信ユニットと、
前記キャリア構成情報に従って通信デバイスに関して構成されることができる複数のキャリアを決定するように構成された決定ユニットであって、前記端末に関して構成されることができるキャリアの数量は、前記端末によって同時に使用されることができるキャリアの数量より多い決定ユニットと、
構成されることができる前記複数のキャリアにおける異なる複数のキャリアを使用することによって、異なる複数の伝送時間間隔ＴＴＩにおいてアップリンク送信を実行するように構成された送信ユニットであって、前記送信ユニットは、前記端末のキャリア能力を前記基地局に送信するようにさらに構成され、
前記キャリア能力は、前記端末によって同時に使用されることができるキャリアの前記数量を備える送信ユニットと
を備える通信デバイス。
【請求項３０】
前記キャリア構成情報は、前記端末に関して構成されることができる前記複数のキャリアにおける各キャリア上で実行されるアップリンク伝送の開始ＴＴＩおよび伝送サイクルを備える請求項２９に記載の通信デバイス。
【請求項３１】
前記送信ユニットが、構成されることができる前記複数のキャリアにおける異なる複数のキャリアを使用することによって、異なる複数の伝送時間間隔ＴＴＩにおいてアップリンク送信を実行することは、特に、
前記端末に関して構成されることができる前記複数のキャリアにおける各キャリアに関して、前記キャリアに対応する開始ＴＴＩから開始して、前記送信ユニットが、前記キャリアに対応する伝送サイクルを使用することによって前記キャリア上でサウンディング基準信号ＳＲＳを送信することである請求項３０に記載の通信デバイス。
【請求項３２】
同一の開始ＴＴＩおよび同一の伝送サイクルに対応し、かつ前記端末に関して構成されることができる前記複数のキャリアにおけるキャリアの最大数量は、前記端末によって同時に使用されることができるキャリアの前記数量である請求項３０または３１に記載の通信デバイス。
【請求項３３】
前記受信ユニットは、異なるキャリアを使用することによって前記基地局によって送信されるＳＲＳ送信命令を受信するようにさらに構成される、通信デバイスであって、
前記送信ユニットが、構成されることができる前記複数のキャリアにおける異なる複数のキャリアを使用することによって、異なる複数の伝送時間間隔ＴＴＩにおいてアップリンク送信を実行することは、特に、
前記送信ユニットが、前記ＳＲＳ送信命令を受信するのに使用される異なるキャリアを使用することによって、異なる複数のＴＴＩにおいてＳＲＳを送信することである請求項２９に記載の通信デバイス。
【請求項３４】
前記端末に関して構成されることができる前記複数のキャリアは、前記基地局によって使用される前記キャリアを備える請求項３０乃至３３のいずれか一項に記載の通信デバイス。
【請求項３５】
前記受信ユニットは、前記基地局によって送信されるデータ送信命令を受信するようにさらに構成される、通信デバイスであって、
前記送信ユニットが、構成されることができる前記複数のキャリアにおける異なる複数のキャリアを使用することによって、異なる複数の伝送時間間隔ＴＴＩにおいてアップリンク送信を実行することは、特に、
前記送信ユニットが、構成されることができる前記複数のキャリアにおける異なる複数のキャリアを使用することによって、異なる複数の伝送時間間隔ＴＴＩにおいて、前記データ送信命令に従ってアップリンクデータを送信することである請求項２９に記載の通信デバイス。
【請求項３６】
前記受信ユニットは、キャリア切換え命令を受信するようにさらに構成される、通信デバイスであって、
前記送信ユニットは、前記キャリア切換え命令に従って、第１のＴＴＩにおいて第１のキャリア上で伝送されるアップリンクデータを、第２のＴＴＩにおける伝送のために第２のキャリアに切り換えるように特に構成される請求項３５に記載の通信デバイス。
【発明の詳細な説明】
【技術分野】
【０００１】
本発明は、通信技術の分野に関し、詳細には、通信方法および通信装置に関する。
【背景技術】
【０００２】
モバイル通信技術が発展するにつれ、ユーザトラフィック量およびデータスループットは絶えず増加し、３Ｇ（第３世代）は、ユーザの要件を完全に満たすことができない。したがって、３ＧＰＰ（第３世代パートナーシッププロジェクト）は、３Ｇシステムの進化として使用される３ＧＰＰ  ＬＴＥ（Ｌｏｎｇ  Ｔｅｒｍ  Ｅｖｏｌｕｔｉｏｎ、ロングタームエボリューション）を研究することに注力している。
【０００３】
ＬＴＥ−Ａｄｖａｎｃｅｄは、ＬＴＥに基づく技術進化であり、ＬＴＥシステムとの後方互換性をサポートする。ＬＴＥ−Ａｄｖａｎｃｅｄは、２００７年に開催された会議において共有される概念となっている。より高いデータレートを提供し、かつより多くのユーザサービスおよび新たなサービスをサポートするのに、ＬＴＥ−Ａｄｖａｎｃｅｄは、周波数、帯域幅、ピークレート、および互換性などの態様に新たな要件を課す。ＬＴＥシステムがＬＴＥ−Ａｄｖａｎｃｅｄシステムに進化させられるプロセスにおいて、より広い周波数スペクトルの要件が、進化に影響する重要な要因となる。したがって、３ＧＰＰは、キャリアアグリゲーション技術がＬＴＥ−Ａｄｖａｎｃｅｄシステムにおける重要な技術の１つとして使用されるべきことを提案する。
【０００４】
しかし、現在のところ最大伝送電力などの要因による制限で、キャリアアグリゲーション中に端末は、同時に２つのキャリアだけしか活性化することができない。一次コンポーネントキャリアに加えて、アップリンク伝送を実行するのに端末は、１度に１つだけの二次コンポーネントキャリアしか使用することができない。したがって、１つの伝送プロセスに関して、異なる複数のＴＴＩ（Ｔｒａｎｓｍｉｓｓｉｏｎ  Ｔｉｍｅ  Ｉｎｔｅｒｖａｌ、伝送時間間隔）において、伝送を実行するのに端末は、１つだけの二次コンポーネントキャリアしか使用することができず、このことは結果的に、比較的乏しい柔軟性という欠点をもたらす。
【０００５】
図１Ａに示されるとおり、端末は、一つのＰＣＣ（一次コンポーネントキャリア）および一つのＳＣＣ（二次コンポーネントキャリア）０を活性化する。複数のＴＴＩを含む伝送プロセスにおいて、端末は、異なる複数のキャリアではなく、同一の一つのキャリア上だけでアップリンク伝送を実行する。代替として、図１Ｂに示されるとおり、端末は、ＰＣＣおよびＳＣＣ１を活性化する。複数のＴＴＩを含む伝送プロセスにおいて、端末は、異なる複数のキャリアではなく、同一の一つのキャリア上だけでアップリンク伝送を実行する。
【０００６】
結論として、現在の通信プロセスにおいて、複数のＴＴＩを含む１つの伝送プロセスにおいて、端末は、同一の一つのキャリア上だけでしか伝送を実行することができず、このことは、比較的乏しい柔軟性という欠点をもたらす。
【発明の概要】
【発明が解決しようとする課題】
【０００７】
本発明の実施形態は、通信方法および通信デバイスを提供して、端末が、複数のＴＴＩを含む１つの伝送プロセスにおいて同一の一つのキャリア上でだけしか伝送を実行することができないことによる比較的乏しい柔軟性という欠点を解決するようにする。
【課題を解決するための手段】
【０００８】
第１の態様によれば、
基地局がキャリア構成情報を端末に送信することであって、キャリア構成情報は、端末に関して構成されることができる複数のキャリアを決定するのに使用されること、および
基地局が、端末に関して構成されることができる複数のキャリアにおける異なる複数のキャリアを使用することによって、異なる複数の伝送時間間隔ＴＴＩにおいてアップリンク受信を実行することを含む通信方法が提供される。
【０００９】
第１の態様を参照して、第１の可能な実装形態において、端末に関して構成されることができるキャリアの数量は、端末によって同時に使用されることができるキャリアの数量以上である。
【００１０】
第１の態様、および第１の態様の第１の可能な実装形態を参照して、第２の可能な実装形態において、基地局がキャリア構成情報を端末に送信することの前に、方法は、
基地局が、端末によって送信される端末のキャリア能力を受信することであって、キャリア能力は、端末によって同時に使用されることができるキャリアの数量を含むことをさらに含む。
【００１１】
第１の態様、ならびに第１の態様の第１および第２の可能な実装形態を参照して、第３の可能な実装形態において、キャリア構成情報は、端末に関して構成されることができる複数のキャリアにおける各キャリア上で実行されるアップリンク伝送の開始ＴＴＩおよび伝送サイクルを含む。
【００１２】
第１の態様の第３の可能な実装形態を参照して、第４の可能な実装形態において、基地局が、端末に関して構成されることができる複数のキャリアにおける異なる複数のキャリアを使用することによって、異なる複数の伝送時間間隔ＴＴＩにおいてアップリンク受信を実行することは、
端末に関して構成されることができる複数のキャリアにおける各キャリアに関して、キャリアに対応する開始ＴＴＩから開始して、基地局が、キャリアに対応する伝送サイクルを使用することによってキャリア上で、端末によって送信されるサウンディング基準信号ＳＲＳを受信することを含む。
【００１３】
第１の態様の第３または第４の可能な実装形態を参照して、第５の可能な実装形態において、同一の開始ＴＴＩおよび同一の伝送サイクルに対応し、かつ端末に関して構成されることができる複数のキャリアにおけるキャリアの最大数量は、端末によって同時に使用されることができるキャリアの数量である。
【００１４】
第１の態様、ならびに第１の態様の第１および第２の可能な実装形態を参照して、第６の可能な実装形態において、基地局が、端末に関して構成されることができる複数のキャリアにおける異なる複数のキャリアを使用することによって、異なる複数の伝送時間間隔ＴＴＩにおいてアップリンク受信を実行することの前に、方法は、
基地局が、異なるキャリアを使用することによってＳＲＳ送信命令を端末に送信することをさらに含み、かつ
基地局が、端末に関して構成されることができる複数のキャリアにおける異なる複数のキャリアを使用することによって、異なる複数のＴＴＩにおいてアップリンク受信を実行することは、
基地局が、ＳＲＳ送信命令を送信するのに使用される異なるキャリアを使用することによって、異なる複数のＴＴＩにおいて、ＳＲＳ送信命令に従って端末によって送信されるＳＲＳを受信することを含む。
【００１５】
第１の態様の第２乃至第６の可能な実装形態を参照して、第７の可能な実装形態において、基地局が、端末に関して構成されることができる複数のキャリアにおける異なる複数のキャリアを使用することによって、異なる複数の伝送時間間隔ＴＴＩにおいてアップリンク受信を実行することの後に、方法は、
受信されたＳＲＳに関して、基地局が、ＳＲＳに従って、ＳＲＳを送信するのに使用されたキャリア上でダウンリンクキャリア処理を実行することをさらに含む。
【００１６】
第１の態様の第２乃至第７の可能な実装形態を参照して、第８の可能な実装形態において、端末に関して構成されることができる複数のキャリアは、基地局によって使用されるキャリアを含む。
【００１７】
第１の態様、ならびに第１の態様の第１および第２の可能な実装形態を参照して、第９の可能な実装形態において、基地局が、端末に関して構成されることができる複数のキャリアにおける異なる複数のキャリアを使用することによって、異なる複数の伝送時間間隔ＴＴＩにおいてアップリンク受信を実行することの前に、方法は、
基地局が、データ送信命令を端末に送信することをさらに含み、かつ
基地局が、端末に関して構成されることができる複数のキャリアにおける異なる複数のキャリアを使用することによって、異なる複数の伝送時間間隔ＴＴＩにおいてアップリンク受信を実行することは、
基地局が、端末に関して構成されることができる複数のキャリアにおける異なる複数のキャリアを使用することによって、異なる複数のＴＴＩにおいて、データ送信命令に従って端末によって送信されるアップリンクデータを受信することを含む。
【００１８】
第１の態様の第９の可能な実装形態を参照して、第１０の可能な実装形態において、基地局が、端末に関して構成されることができる複数のキャリアにおける異なる複数のキャリアを使用することによって、異なる複数の伝送時間間隔ＴＴＩにおいてアップリンク受信を実行することの後に、方法は、
基地局が、第１のＴＴＩにおいてアップリンクデータ伝送が実行される第１のキャリアが事前設定された条件を満たさず、かつ第２のキャリアが事前設定された条件を満たすと決定した場合、キャリア切換え命令を端末に送信することをさらに含む。
【００１９】
第１の態様の第１０の可能な実装形態を参照して、第１１の可能な実装形態において、基地局が、第１のＴＴＩにおいてアップリンクデータ伝送が実行される第１のキャリアが事前設定された条件を満たさないと決定することは、
基地局が、第１のＴＴＩにおいてアップリンクデータ伝送が実行される第１のキャリアの負荷が事前設定された負荷閾値を超えており、かつ／または第１のキャリアの信号品質が事前設定された信号品質閾値以下であると決定することを含み、かつ
基地局が、第２のキャリアが事前設定された条件を満たすと決定することは、
基地局が、第２のキャリアの負荷が事前設定された負荷閾値以下であり、かつ／または第２のキャリアの信号品質が事前設定された信号品質閾値を超えていると決定することを含む。
【００２０】
第２の態様によれば、
端末が基地局によって送信されるキャリア構成情報を受信すること、
端末が、キャリア構成情報に従って端末に関して構成されることができる複数のキャリアを決定すること、および
端末が、構成されることができる複数のキャリアにおける異なる複数のキャリアを使用することによって、異なる複数の伝送時間間隔ＴＴＩにおいてアップリンク送信を実行することを含む通信方法が提供される。
【００２１】
第２の態様を参照して、第１の可能な実装形態において、端末に関して構成されることができるキャリアの数量は、端末によって同時に使用されることができるキャリアの数量以上である。
【００２２】
第２の態様、および第２の態様の第１の可能な実装形態を参照して、第２の可能な実装形態において、端末が基地局によって送信されるキャリア構成情報を受信することの前に、方法は、
端末が端末のキャリア能力を基地局に送信することであって、キャリア能力は、端末によって同時に使用されることができるキャリアの数量を含むことをさらに含む。
【００２３】
第２の態様、ならびに第２の態様の第１および第２の可能な実装形態を参照して、第３の可能な実装形態において、キャリア構成情報は、端末に関して構成されることができる複数のキャリアにおける各キャリア上で実行されるアップリンク伝送の開始ＴＴＩおよび伝送サイクルを含む。
【００２４】
第２の態様の第３の可能な実装形態を参照して、第４の可能な実装形態において、端末が、構成されることができる複数のキャリアにおける異なる複数のキャリアを使用することによって、異なる複数の伝送時間間隔ＴＴＩにおいてアップリンク送信を実行することは、
端末に関して構成されることができる複数のキャリアにおける各キャリアに関して、キャリアに対応する開始ＴＴＩから開始して、端末が、キャリアに対応する伝送サイクルを使用することによってキャリア上でサウンディング基準信号ＳＲＳを送信することを含む。
【００２５】
第２の態様の第３または第４の可能な実装形態を参照して、第５の可能な実装形態において、同一の開始ＴＴＩおよび同一の伝送サイクルに対応し、かつ端末に関して構成されることができる複数のキャリアにおけるキャリアの最大数量は、端末によって同時に使用されることができるキャリアの数量である。
【００２６】
第２の態様、ならびに第２の態様の第１および第２の可能な実装形態を参照して、第６の可能な実装形態において、
端末が、構成されることができる複数のキャリアにおける異なる複数のキャリアを使用することによって、異なる複数の伝送時間間隔ＴＴＩにおいてアップリンク送信を実行することの前に、方法は、
端末が、異なるキャリアを使用することによって基地局によって送信されるＳＲＳ送信命令を受信することをさらに含み、かつ
端末が、構成されることができる複数のキャリアにおける異なる複数のキャリアを使用することによって、異なる複数の伝送時間間隔ＴＴＩにおいてアップリンク送信を実行することは、
端末が、ＳＲＳ送信命令を受信するのに使用される異なるキャリアを使用することによって、異なる複数のＴＴＩにおいてＳＲＳを送信することを含む。
【００２７】
第２の態様の第３乃至第６の可能な実装形態を参照して、第７の可能な実装形態において、端末に関して構成されることができる複数のキャリアは、基地局によって使用されるキャリアを含む。
【００２８】
第２の態様、ならびに第２の態様の第１および第２の可能な実装形態を参照して、第８の可能な実装形態において、端末が、構成されることができる複数のキャリアにおける異なる複数のキャリアを使用することによって、異なる複数の伝送時間間隔ＴＴＩにおいてアップリンク送信を実行することの前に、方法は、
端末が、基地局によって送信されるデータ送信命令を受信することをさらに含み、かつ
端末が、構成されることができる複数のキャリアにおける異なる複数のキャリアを使用することによって、異なる複数の伝送時間間隔ＴＴＩにおいてアップリンク送信を実行することは、
端末が、構成されることができる複数のキャリアにおける異なる複数のキャリアを使用することによって、異なる複数の伝送時間間隔ＴＴＩにおいてデータ送信命令に従ってアップリンクデータを送信することを含む。
【００２９】
第２の態様の第８の可能な実装形態を参照して、第９の可能な実装形態において、端末が、構成されることができる複数のキャリアにおける異なる複数のキャリアを使用することによって、異なる複数の伝送時間間隔ＴＴＩにおいてアップリンク送信を実行することの後に、方法は、
端末が、キャリア切換え命令を受信すること、および
端末が、キャリア切換え命令に従って、第１のＴＴＩにおいて第１のキャリア上で伝送されるアップリンクデータを、第２のＴＴＩにおける伝送のために第２のキャリアに切り換えることをさらに含む。
【００３０】
第３の態様によれば、
キャリア構成情報を端末に送信するように構成された送信ユニットであって、キャリア構成情報は、端末に関して構成されることができる複数のキャリアを決定するのに使用される、送信ユニットと、
端末に関して構成されることができる複数のキャリアにおける異なる複数のキャリアを使用することによって、異なる複数の伝送時間間隔ＴＴＩにおいてアップリンク受信を実行するように構成された受信ユニットとを含む通信デバイスが提供される。
【００３１】
第３の態様を参照して、第１の可能な実装形態において、端末に関して構成されることができるキャリアの数量は、端末によって同時に使用されることができるキャリアの数量以上である。
【００３２】
第３の態様、および第３の態様の第１の可能な実装形態を参照して、第２の可能な実装形態において、受信ユニットは、端末によって送信される端末のキャリア能力を受信するようにさらに構成され、キャリア能力は、端末によって同時に使用されることができるキャリアの数量を含む。
【００３３】
第３の態様、ならびに第３の態様の第１および第２の可能な実装形態を参照して、第３の可能な実装形態において、キャリア構成情報は、端末に関して構成されることができる複数のキャリアにおける各キャリア上で実行されるアップリンク伝送の開始ＴＴＩおよび伝送サイクルを含む。
【００３４】
第３の態様の第３の可能な実装形態を参照して、第４の可能な実装形態において、受信ユニットが、端末に関して構成されることができる複数のキャリアにおける異なる複数のキャリアを使用することによって、異なる複数の伝送時間間隔ＴＴＩにおいてアップリンク受信を実行することは、特に、
端末に関して構成されることができる複数のキャリアにおける各キャリアに関して、キャリアに対応する開始ＴＴＩから開始して、受信ユニットが、キャリアに対応する伝送サイクルを使用することによってキャリア上で、端末によって送信されるサウンディング基準信号ＳＲＳを受信することである。
【００３５】
第３の態様の第３または第４の可能な実装形態を参照して、第５の可能な実装形態において、同一の開始ＴＴＩおよび同一の伝送サイクルに対応し、かつ端末に関して構成されることができる複数のキャリアにおけるキャリアの最大数量は、端末によって同時に使用されることができるキャリアの数量である。
【００３６】
第３の態様、ならびに第３の態様の第１および第２の可能な実装形態を参照して、第６の可能な実装形態において、送信ユニットは、異なるキャリアを使用することによってＳＲＳ送信命令を端末に送信するようにさらに構成され、かつ
受信ユニットが、端末に関して構成されることができる複数のキャリアにおける異なる複数のキャリアを使用することによって、異なる複数のＴＴＩにおいてアップリンク受信を実行することは、特に、
受信ユニットが、ＳＲＳ送信命令を送信するのに使用される異なるキャリアを使用することによって、異なる複数のＴＴＩにおいて、ＳＲＳ送信命令に従って端末によって送信されるＳＲＳを受信することである。
【００３７】
第３の態様の第２乃至第６の可能な実装形態を参照して、第７の可能な実装形態において、通信デバイスは、受信されたＳＲＳに関して、受信されたＳＲＳに従ってＳＲＳを送信するのに使用されたキャリア上でダウンリンクキャリア処理を実行するように構成された処理ユニットをさらに含む。
【００３８】
第３の態様の第２乃至第７の可能な実装形態を参照して、第８の可能な実装形態において、端末に関して構成されることができる複数のキャリアは、基地局によって使用されるキャリアを含む。
【００３９】
第３の態様、ならびに第３の態様の第１および第２の可能な実装形態を参照して、第９の可能な実装形態において、送信ユニットは、データ送信命令を端末に送信するようにさらに構成され、
受信ユニットが、端末に関して構成されることができる複数のキャリアにおける異なる複数のキャリアを使用することによって、異なる複数の伝送時間間隔ＴＴＩにおいてアップリンク受信を実行することは、特に、
受信ユニットが、端末に関して構成されることができる複数のキャリアにおける異なる複数のキャリアを使用することによって、異なる複数のＴＴＩにおいて、データ送信命令に従って端末によって送信されるアップリンクデータを受信することである。
【００４０】
第３の態様の第９の可能な実装形態を参照して、第１０の可能な実装形態において、通信デバイスは、第１のＴＴＩにおいてアップリンクデータ伝送が実行される第１のキャリアが事前設定された条件を満たさず、かつ第２のキャリアが事前設定された条件を満たすと決定するように構成された決定ユニットをさらに含み、かつ
送信ユニットは、決定ユニットが、第１のＴＴＩにおいてアップリンクデータ伝送が実行される第１のキャリアが事前設定された条件を満たさず、かつ第２のキャリアが事前設定された条件を満たすと決定した場合、キャリア切換え命令を端末に送信するようにさらに構成される。
【００４１】
第３の態様の第１０の可能な実装形態を参照して、第１１の可能な実装形態において、決定ユニットが、第１のＴＴＩにおいてアップリンクデータ伝送が実行される第１のキャリアが事前設定された条件を満たさないと決定することは、特に、
決定ユニットが、第１のＴＴＩにおいてアップリンクデータ伝送が実行される第１のキャリアの負荷が事前設定された負荷閾値を超えており、かつ／または第１のキャリアの信号品質が事前設定された信号品質閾値以下であると決定することであり、かつ
決定ユニットが、第２のキャリアが事前設定された条件を満たすと決定することは、特に、
決定ユニットが、第２のキャリアの負荷が事前設定された負荷閾値以下であり、かつ／または第２のキャリアの信号品質が事前設定された信号品質閾値を超えていると決定することである。
【００４２】
第４の態様によれば、
基地局によって送信されるキャリア構成情報を受信するように構成された受信ユニットと、
キャリア構成情報に従って端末に関して構成されることができる複数のキャリアを決定するように構成された決定ユニットと、
構成されることができる複数のキャリアにおける異なる複数のキャリアを使用することによって、異なる複数の伝送時間間隔ＴＴＩにおいてアップリンク送信を実行するように構成された送信ユニットとを含む通信デバイスが提供される。
【００４３】
第４の態様を参照して、第１の可能な実装形態において、端末に関して構成されることができるキャリアの数量は、端末によって同時に使用されることができるキャリアの数量以上である。
【００４４】
第４の態様、および第４の態様の第１の可能な実装形態を参照して、第２の可能な実装形態において、送信ユニットは、端末のキャリア能力を基地局に送信するようにさらに構成され、キャリア能力は、端末によって同時に使用されることができるキャリアの数量を含む。
【００４５】
第４の態様、ならびに第４の態様の第１および第２の可能な実装形態を参照して、第３の可能な実装形態において、キャリア構成情報は、端末に関して構成されることができる複数のキャリアにおける各キャリア上で実行されるアップリンク伝送の開始ＴＴＩおよび伝送サイクルを含む。
【００４６】
第４の態様の第３の可能な実装形態を参照して、第４の可能な実装形態において、送信ユニットが、構成されることができる複数のキャリアにおける異なる複数のキャリアを使用することによって異なる複数の伝送時間間隔ＴＴＩにおいてアップリンク送信を実行することは、特に、
端末に関して構成されることができる複数のキャリアにおける各キャリアに関して、キャリアに対応する開始ＴＴＩから開始して、送信ユニットが、キャリアに対応する伝送サイクルを使用することによってキャリア上でサウンディング基準信号ＳＲＳを送信することである。
【００４７】
第４の態様の第３または第４の可能な実装形態を参照して、第５の可能な実装形態において、同一の開始ＴＴＩおよび同一の伝送サイクルに対応し、かつ端末に関して構成されることができる複数のキャリアにおけるキャリアの最大数量は、端末によって同時に使用されることができるキャリアの数量である。
【００４８】
第４の態様、ならびに第４の態様の第１および第２の可能な実装形態を参照して、第６の可能な実装形態において、受信ユニットは、異なるキャリアを使用することによって基地局によって送信されるＳＲＳ送信命令を受信するようにさらに構成され、かつ
送信ユニットが、構成されることができる複数のキャリアにおける異なる複数のキャリアを使用することによって異なる複数の伝送時間間隔ＴＴＩにおいてアップリンク送信を実行することは、特に、
送信ユニットが、ＳＲＳ送信命令を受信するのに使用される異なるキャリアを使用することによって、異なる複数のＴＴＩにおいてＳＲＳを送信することである。
【００４９】
第４の態様の第３乃至第６の可能な実装形態を参照して、第７の可能な実装形態において、端末に関して構成されることができる複数のキャリアは、基地局によって使用されるキャリアを含む。
【００５０】
第４の態様、ならびに第４の態様の第１および第２の可能な実装形態を参照して、第８の可能な実装形態において、受信ユニットは、基地局によって送信されるデータ送信命令を受信するようにさらに構成され、かつ
送信ユニットが、構成されることができる複数のキャリアにおける異なる複数のキャリアを使用することによって、異なる複数の伝送時間間隔ＴＴＩにおいてアップリンク送信を実行することは、特に、
送信ユニットが、構成されることができる複数のキャリアにおける異なる複数のキャリアを使用することによって、異なる複数の伝送時間間隔ＴＴＩにおいてデータ送信命令に従ってアップリンクデータを送信することである。
【００５１】
第４の態様の第８の可能な実装形態を参照して、第９の可能な実装形態において、受信ユニットは、キャリア切換え命令を受信するようにさらに構成され、かつ、
送信ユニットは、キャリア切換え命令に従って第１のＴＴＩにおいて第１のキャリア上で伝送されるアップリンクデータを第２のＴＴＩにおける伝送のために第２のキャリアに切り換えるように特に構成される。
【発明の効果】
【００５２】
本発明の実施形態は、通信方法および通信デバイスを提供する。ソリューションにおいて、端末は、異なるキャリアを使用することによって異なる複数のＴＴＩにおいて伝送を実行することができ、したがって、基地局は、異なるキャリアを使用することによって異なる複数のＴＴＩにおいてアップリンク受信を実行することができる。このようにして、アップリンク伝送が、端末の許される能力範囲内で異なるキャリアを使用することによって異なる時点で実施され、このことが、比較的乏しい柔軟性という欠点を解決する。
【図面の簡単な説明】
【００５３】
【図１Ａ】従来技術におけるアップリンク伝送を示す概略図である。
【図１Ｂ】従来技術におけるアップリンク伝送を示す概略図である。
【図２Ａ】本発明の実施形態による通信方法を示す流れ図である。
【図２Ｂ】本発明の実施形態による異なる複数の二次コンポーネントキャリアを使用することによって異なる複数のＴＴＩにおいて実行される伝送を示す概略図である。
【図２Ｃ】本発明の実施形態による異なる複数のキャリアを使用することによって異なる複数のＴＴＩにおいて実行される伝送を示す概略図である。
【図２Ｄ】本発明の実施形態によるビーム形成を実行することを示す概略図である。
【図２Ｅ】本発明の実施形態によるビーム形成を実行することを示す別の概略図である。
【図２Ｆ】本発明の実施形態によるＡＳＦＮを実行することを示す概略図である。
【図２Ｇ】本発明の実施形態によるＡＳＦＮを実行することを示す別の概略図である。
【図３】本発明の実施形態による別の通信方法を示す流れ図である。
【図４Ａ】本発明の実施形態による通信デバイスを示す概略図である。
【図４Ｂ】本発明の実施形態による通信デバイスを示す別の概略図である。
【図５Ａ】本発明の実施形態による別の通信デバイスを示す概略図である。
【図５Ｂ】本発明の実施形態による別の通信デバイスを示す別の概略図である。
【発明を実施するための形態】
【００５４】
本発明の実施形態の目的、技術的ソリューション、および利点をより明確にするのに、以下が、本発明の実施形態における添付の図面を参照して本発明の実施形態における技術的ソリューションを明確に、かつ完全に説明する。明らかに、説明される実施形態は、本発明の実施形態のうちのいくつかではあるが、すべてではない。独創的な取組みなしに本発明の実施形態に基づいて当業者によって得られる他のすべての実施形態は、本発明の保護範囲に入るものとする。
【００５５】
さらに、「システム」および「ネットワーク」という用語は、本明細書において互換的に使用されてよい。本明細書における「および／または」という用語は、関連付けられた対象を説明する関連付け関係を説明するに過ぎず、３つの関係が存在し得ることを表す。例えば、Ａおよび／またはＢは、以下の３つの事例、すなわち、Ａだけが存在すること、ＡとＢの両方が存在すること、およびＢだけが存在することを表し得る。さらに、本明細書における「／」という文字は、一般に、関連付けられた対象の間の「または」の関係を示す。
【００５６】
以下において、本発明の実装形態が、添付の図面を参照して詳細に説明される。本明細書において説明される好ましい実施形態は、本発明を例示し、説明するのに使用されるに過ぎず、本発明を制限するようには意図されないことを理解されたい。さらに、本出願における実施形態、および実施形態における特徴は、それらが互いに矛盾しない事例において相互に組み合わせられてよい。
【００５７】
図２Ａに示されるとおり、本発明の実施形態において、通信手順は、以下のとおりである。
【００５８】
ステップ２００  基地局が、キャリア構成情報を端末に送信し、キャリア構成情報は、端末に関して構成されることができる複数のキャリアを決定するのに使用される。
【００５９】
ステップ２１０  基地局が、端末に関して構成されることができる複数のキャリアにおける異なる複数のキャリアを使用することによって、異なる複数のＴＴＩにおいてアップリンク受信を実行する。
【００６０】
この実施形態において、ステップ２００およびステップ２１０において、端末が異なる複数のキャリアを使用することによって異なる複数のＴＴＩにおいて伝送を実行することができるため、基地局は、異なる複数のキャリアを使用することによって異なる複数のＴＴＩにおいてアップリンク受信を実行することができる。このようにして、アップリンク伝送が、端末の許される能力範囲内で異なる複数のキャリアを使用することによって異なる複数の時点で実施され、このことが、比較的乏しい柔軟性という欠点を解決する。
【００６１】
図２Ｂに示される例では、ＴＴＩ０においてＰＣＣがアップリンク受信を実行するのに使用され、ＴＴＩ１においてＳＣＣ０がアップリンク受信を実行するのに使用され、ＴＴＩ２においてＳＣＣ１がアップリンク受信を実行するのに使用され、ＴＴＩ３においてＰＣＣがアップリンク受信を実行するのに使用され、ＴＴＩ４においてＳＣＣ３がアップリンク受信を実行するのに使用され、ＴＴＩ５においてＰＣＣがアップリンク受信を実行するのに使用され、ＴＴＩ６においてＳＣＣ４がアップリンク受信を実行するのに使用され、ＴＴＩ７においてＳＣＣ２がアップリンク受信を実行するのに使用される。
【００６２】
図２Ｃに示される、こちらの通信プロセスにおいては、異なる二次コンポーネントキャリアが、異なるＴＴＩにおいて使用され得る。例えば、ＴＴＩ０においてＳＣＣ３がアップリンク受信を実行するのに使用され、ＴＴＩ１においてＳＣＣ０がアップリンク受信を実行するのに使用され、ＴＴＩ２においてＳＣＣ１がアップリンク受信を実行するのに使用され、ＴＴＩ３においてＳＣＣ２がアップリンク受信を実行するのに使用され、ＴＴＩ４においてＳＣＣ３がアップリンク受信を実行するのに使用され、ＴＴＩ５においてＳＣＣ４がアップリンク受信を実行するのに使用され、ＴＴＩ６においてＳＣＣ４がアップリンク受信を実行するのに使用され、ＴＴＩ７においてＳＣＣ２がアップリンク受信を実行するのに使用される。したがって、受信は、異なる複数のキャリアを使用することによって異なる複数のＴＴＩにおいて実行されてよく、比較的乏しい柔軟性という欠点が解決される。
【００６３】
本発明のこの実施形態において、任意選択で、端末に関して構成されることができるキャリアの数量は、端末によって同時に使用されることができるキャリアの数量以上である。
【００６４】
端末に関して構成されることができるキャリアの数量は、端末によって同時に使用されることができるキャリアの数量以上であり、すなわち、端末のキャリア能力は、基地局が端末に関してキャリアを構成する場合に考慮される。したがって、基地局がキャリア構成情報を端末に送信する前に、以下の動作がさらに含まれる。
【００６５】
基地局が、端末によって送信される端末のキャリア能力を受信し、キャリア能力は、端末によって同時に使用されることができるキャリアの数量を含む。
【００６６】
この事例において、任意選択で、基地局は、キャリア構成情報を端末に以下の様態で送信してよい。
【００６７】
基地局は、端末のキャリア能力に従ってキャリア構成情報を端末に送信する。
【００６８】
本発明のこの実施形態において、任意選択で、キャリア構成情報は、端末に関して構成されることができる複数のキャリアにおける各二次コンポーネントキャリア上で実行されるアップリンク伝送の開始ＴＴＩおよび伝送サイクルを含んでよい。
【００６９】
例えば、５つのキャリア、すなわち、ＳＣＣ０、ＳＣＣ１、ＳＣＣ２、ＳＣＣ３、およびＰＣＣが存在するとする。キャリア構成情報は、ＳＣＣ０上で実行されるアップリンク伝送の開始ＴＴＩ０および伝送サイクル０、ＳＣＣ１上で実行されるアップリンク伝送の開始ＴＴＩ１および伝送サイクル１、ＳＣＣ２上で実行されるアップリンク伝送の開始ＴＴＩ２および伝送サイクル２、ＳＣＣ３上で実行されるアップリンク伝送の開始ＴＴＩ３および伝送サイクル３、ＳＣＣ４上で実行されるアップリンク伝送の開始ＴＴＩ４および伝送サイクル４、ならびにＰＣＣ上で実行されるアップリンク伝送の開始ＴＴＩ５および伝送サイクル５を含むことができる。別のキャリアが存在する場合、キャリア上で実行されるアップリンク伝送の開始ＴＴＩおよび伝送サイクルも決定される必要があり、詳細が本明細書において説明されることはない。
【００７０】
本発明のこの実施形態において、基地局は、いくつかの事例においてキャリア上でＳＲＳ（Ｓｏｕｎｄｉｎｇ  Ｒｅｆｅｒｅｎｃｅ  Ｓｉｇｎａｌ）により関係付けられた動作を実行する必要がある。例えば、図２Ｄおよび図２Ｅに示されるとおり、基地局は、キャリア上で端末によって送信されるＳＲＳに従って重み付けを実行して、ビーム形成を得るようにし、端末は、比較的高い受信レベルを得て、利得を得て、かつ屋外試験を通じて約１２％のアレイ利得を得ることができる。
【００７１】
別の例として、セル間干渉を低減するのに、ＳＦＮ（Ｓｉｎｇｌｅ  Ｆｒｅｑｕｅｎｃｙ  Ｎｅｔｏｗｒｋ、単一周波数ネットワーク）セルに関して、すべてのＲＲＵではなく、ターゲットＲＲＵ（Ｒａｄｉｏ  Ｒｅｍｏｔｅ  Ｕｎｉｔ、無線遠隔ユニット）だけが信号を端末に送信し、ターゲットＲＲＵは、端末によって送信されるＳＲＳを使用することによって識別される。図２Ｆに示されるとおり、ＲＲＵ１、ＲＲＵ２、ＲＲＵ３、およびＲＲＵ５のすべてが信号を端末１に送信する場合、別の端末によって実行される受信が影響される。干渉を回避するのに、端末１のターゲットＲＲＵが、ＲＲＵ３として選択され得る。同様に、図２Ｇに示されるとおり、端末２のターゲットＲＲＵが、ＲＲＵ４およびＲＲＵ６として選択され得る。
【００７２】
しかし、現在の例では、端末は、いくつかのキャリア上でＳＲＳを伝送しない。基地局は、基地局がキャリア上でＳＲＳを得ることができないため、キャリア上で重み付けを実行することができず、ビーム形成を実施することができない。
【００７３】
したがって、基地局が使用される各キャリア上で重み付けを実行して、ビーム形成をさらに実施することができるようにするために、端末によって送信されるＳＲＳが、基地局によって使用される各キャリア上で受信されることができる。したがって、本発明のこの実施形態において、基地局が、端末に関して構成されることができる複数のキャリアにおける異なる複数のキャリアを使用することによって、異なる複数の伝送時間間隔ＴＴＩにおいてアップリンク受信を実行する場合、任意選択で、以下の様態が使用されてよい。
【００７４】
端末に関して構成されることができる複数のキャリアにおける各キャリアに関して、キャリアに対応する開始ＴＴＩから開始して、基地局は、キャリアに対応する伝送サイクルを使用することによってキャリア上で、端末によって送信されるＳＲＳを受信する。
【００７５】
例えば、４つのＳＣＣ、すなわち、ＳＣＣ０、ＳＣＣ１、ＳＣＣ２、およびＳＣＣ３が存在するとする。ＳＣＣ０上で端末によって実行されるアップリンク伝送の開始ＴＴＩおよび伝送サイクルは、それぞれ、開始ＴＴＩ０および伝送サイクル０であり、ＳＣＣ１上で端末によって実行されるアップリンク伝送の開始ＴＴＩおよび伝送サイクルは、それぞれ、開始ＴＴＩ１および伝送サイクル１であり、ＳＣＣ２上で端末によって実行されるアップリンク伝送の開始ＴＴＩおよび伝送サイクルは、それぞれ、開始ＴＴＩ２および伝送サイクル２であり、ＳＣＣ３上で端末によって実行されるアップリンク伝送の開始ＴＴＩおよび伝送サイクルは、それぞれ、開始ＴＴＩ３および伝送サイクル３であり、ＳＣＣ４上で端末によって実行されるアップリンク伝送の開始ＴＴＩおよび伝送サイクルは、それぞれ、開始ＴＴＩ４および伝送サイクル４である。ＳＣＣ０に関して、ＴＴＩ０から開始して、ＳＲＳが、伝送サイクル０を使用することによってＳＣＣ０上で伝送され、ＳＣＣ１に関して、ＴＴＩ１から開始して、ＳＲＳが、伝送サイクル１を使用することによってＳＣＣ１上で伝送され、ＳＣＣ２に関して、ＴＴＩ２から開始して、ＳＲＳが、伝送サイクル２を使用することによってＳＣＣ２上で伝送され、ＳＣＣ３に関して、ＴＴＩ３から開始して、ＳＲＳが、伝送サイクル３を使用することによってＳＣＣ３上で伝送される。このようにして、端末は、４つすべてのＳＣＣ上でＳＲＳを送信することができる。各キャリアに関して、基地局は、対応するＳＲＳに従ってキャリア上で重み付け計算を実行して、ビーム形成をさらに実施するようにすることができる。
【００７６】
本発明のこの実施形態において、同一の開始ＴＴＩおよび同一の伝送サイクルに対応し、かつ端末に関して構成されることができる複数のキャリアにおけるキャリアの最大数量は、端末によって同時に使用されることができるキャリアの数量である。すなわち、端末によって同時に使用されることができるキャリアの数量が３である場合、同一の開始ＴＴＩおよび同一の伝送サイクルに対応する最大で３つのキャリアが存在する。例えば、キャリア１に対応する開始ＴＴＩおよび伝送サイクルがＴＴＩ１および伝送サイクル１であり、キャリア２に対応する開始ＴＴＩおよび伝送サイクルもＴＴＩ１および伝送サイクル１であり、かつキャリア３に対応する開始ＴＴＩおよび伝送サイクルもＴＴＩ１および伝送サイクル１である。すなわち、開始ＴＴＩがＴＴＩ１であり、かつ伝送サイクルが伝送サイクル１である最大で３つのキャリアが存在する。
【００７７】
無論、前述の様態は、端末によって実際に同時に使用されるキャリアの数量が、端末によって同時に使用されることができるキャリアの数量以下であることを確実にするに過ぎないが、本発明のこの実施形態は、各キャリアに対応する開始ＴＴＩおよび伝送サイクルが、同時に使用されるキャリアの数量が、端末によって同時に使用されることができるキャリアの数量以下であることを確実にすることができ、キャリアの数量は、キャリア能力に含められるという条件付きで、前述の様態に制限されない。
【００７８】
前述の説明において、キャリア構成情報が開始ＴＴＩおよび伝送サイクルを含む場合、基地局は、ターゲットＴＴＩが着信するとき、ＳＲＳを受信する。
【００７９】
例えば、ＳＣＣ０に対応する開始ＴＴＩおよび伝送サイクルがＴＴＩ０および１０ミリ秒である場合、ＳＲＳが、ＳＣＣ０を使用することによってＴＴＩ０において受信され、ＳＲＳが、ＳＣＣ０を使用することによってＴＴＩ１０において受信され、ＳＲＳが、ＳＣＣ０を使用することによってＴＴＩ２０において受信され、以下同様である。
【００８０】
無論、ターゲットＴＴＩが着信するときにだけＳＲＳを送信する必要はなく、ＳＲＳは、命令が受信されたときに送信されてよい。
【００８１】
したがって、基地局が、端末に関して構成されることができる複数のキャリアにおける異なる複数のキャリアを使用することによって、異なる複数の伝送時間間隔ＴＴＩにおいてアップリンク受信を実行することの前に、以下の動作がさらに含まれる。
【００８２】
基地局が、異なる複数のキャリアを使用することによってＳＲＳ送信命令を端末に送信する。
【００８３】
この事例において、基地局が、端末に関して構成されることができる複数のキャリアにおける異なる複数のキャリアを使用することによって、異なる複数のＴＴＩにおいてアップリンク受信を実行する場合、任意選択で、以下の様態が使用されてよい。
【００８４】
基地局が、ＳＲＳ送信命令を送信するのに使用される異なる複数のキャリアを使用することによって、異なる複数のＴＴＩにおいて、ＳＲＳ送信命令に従って端末によって送信されるＳＲＳを受信する。
【００８５】
前述の説明において、ＳＲＳ送信命令を送信するのに使用されるキャリアは、ＳＲＳを受信するのにも使用される。無論、キャリアの識別子が、ＳＲＳ送信命令において搬送されてよく、ＳＲＳは、識別子に対応するキャリア上で受信される。
【００８６】
したがって、基地局が、端末に関して構成されることができる複数のキャリアにおける異なる複数のキャリアを使用することによって、異なる複数の伝送時間間隔ＴＴＩにおいてアップリンク受信を実行することの前に、以下の動作がさらに含まれる。
【００８７】
基地局が、異なるキャリアを使用することによってＳＲＳ送信命令を端末に送信し、ＳＲＳ送信命令は、異なるキャリアに別々に対応する識別子を搬送する。
【００８８】
この事例において、基地局が、端末に関して構成されることができる複数のキャリアにおける異なる複数のキャリアを使用することによって、異なる複数のＴＴＩにおいてアップリンク受信を実行する場合、任意選択で、以下の様態が使用されてよい。
【００８９】
基地局が、異なる識別子に別々に対応する異なる複数のキャリアを使用することによって異なる複数のＴＴＩにおいて、ＳＲＳ送信命令に従って端末によって送信されるＳＲＳを受信する。
【００９０】
本発明のこの実施形態において、任意選択で、端末に関して構成されることができるキャリアは、基地局によって使用されるキャリアを含む。
【００９１】
本発明のこの実施形態において、基地局が、端末に関して構成されることができる複数のキャリアにおける異なる複数のキャリアを使用することによって、異なる複数の伝送時間間隔ＴＴＩにおいてアップリンク受信を実行した後、以下の動作がさらに含まれる。
【００９２】
受信されたＳＲＳに関して、基地局が、ＳＲＳに従ってＳＲＳを送信するのに使用されたキャリア上でダウンリンクキャリア処理を実行する。
【００９３】
ダウンリンクキャリア処理は、ビーム形成であってよく、または無論、別の動作であってよく、詳細が本明細書において説明されることはない。
【００９４】
以上は、基地局がキャリアを使用することによってＳＲＳを受信するプロセスを説明した。無論、実際のアプリケーションにおいて、基地局は、キャリアを使用することによってアップリンクデータを受信してよい。
【００９５】
無論、基地局がデータを受信することは、端末をスケジュールすることによって基地局によって実行される。したがって、本発明のこの実施形態において、基地局が、端末に関して構成されることができる複数のキャリアにおける異なる複数のキャリアを使用することによって、異なる複数のＴＴＩにおいてアップリンク受信を実行する前に、以下の動作がさらに含まれる。
【００９６】
基地局が、データ送信命令を端末に送信する。
【００９７】
この事例において、基地局が、端末に関して構成されることができる複数のキャリアにおける異なる複数のキャリアを使用することによって、異なる複数のＴＴＩにおいてアップリンク受信を実行する場合、任意選択で、以下の様態が使用されてよい。
【００９８】
基地局が、端末に関して構成されることができる複数のキャリアにおける異なる複数のキャリアを使用することによって、異なる複数のＴＴＩにおいて、データ送信命令に従って端末によって送信されるアップリンクデータを受信する。
【００９９】
本発明のこの実施形態において、サービス品質を向上させるのに、基地局が、端末に関して構成されることができる複数のキャリアにおける異なる複数のキャリアを使用することによって、異なる複数のＴＴＩにおいてアップリンク受信を実行した後、以下の動作がさらに含まれる。
【０１００】
基地局が、第１のＴＴＩにおいてアップリンクデータ伝送が実行される第１のキャリアが事前設定された条件を満たさず、かつ第２のキャリアが事前設定された条件を満たすと決定した場合、キャリア切換え命令を端末に送信する。
【０１０１】
この事例において、基地局が、第１のＴＴＩにおいてアップリンクデータ伝送が実行される第１のキャリアが事前設定された条件を満たさないと決定した場合、任意選択で、以下の様態が使用されてよい。
【０１０２】
基地局が、第１のＴＴＩにおいてアップリンクデータ伝送が実行される第１のキャリアの負荷が事前設定された負荷閾値を超えており、かつ／または第１のキャリアの信号品質が事前設定された信号品質閾値以下であると決定する。
【０１０３】
基地局が、第２のキャリアが事前設定された条件を満たすと決定した場合、任意選択で、以下の様態が使用されてよい。
【０１０４】
基地局が、第２のキャリアの負荷が事前設定された負荷閾値以下であり、かつ／または第２のキャリアの信号品質が事前設定された信号品質閾値を超えていると決定する。
【０１０５】
以上に、基地局側の通信方法を説明した。以下は、端末側の通信方法を説明する。
【０１０６】
図３に示されるとおり、本発明の実施形態において、別の通信手順は、以下のとおりである。
【０１０７】
ステップ３００  端末が、基地局によって送信されるキャリア構成情報を受信する。
【０１０８】
ステップ３１０  端末が、キャリア構成情報に従って、端末に関して構成されることができる複数のキャリアを決定する。
【０１０９】
ステップ３２０  端末が、構成されることができる複数のキャリアにおける異なる複数のキャリアを使用することによって、異なる複数の伝送時間間隔ＴＴＩにおいてアップリンク送信を実行する。
【０１１０】
この実施形態におけるステップ３００乃至ステップ３２０において、端末が、構成されることができる複数のキャリアを決定した後、アップリンク伝送を実行するとき、端末は、異なる複数のキャリアを使用することによって異なる複数のＴＴＩにおいて伝送を実行することができる。このようにして、アップリンク伝送が、端末の許される能力範囲内で異なる複数のキャリアを使用することによって異なる複数の時点で実施され、このことが、比較的乏しい柔軟性という欠点を解決する。
【０１１１】
図２Ｂに示される例では、ＴＴＩ０においてＰＣＣがアップリンク送信を実行するのに使用され、ＴＴＩ１においてＳＣＣ０がアップリンク送信を実行するのに使用され、ＴＴＩ２においてＳＣＣ１がアップリンク送信を実行するのに使用され、ＴＴＩ３においてＰＣＣがアップリンク送信を実行するのに使用され、ＴＴＩ４において、ＳＣＣ３がアップリンク送信を実行するのに使用され、ＴＴＩ５においてＰＣＣがアップリンク送信を実行するのに使用され、ＴＴＩ６においてＳＣＣ４がアップリンク送信を実行するのに使用され、ＴＴＩ７においてＳＣＣ２がアップリンク送信を実行するのに使用される。
【０１１２】
図２Ｃに示される、こちらの通信プロセスにおいては、異なる二次コンポーネントキャリアが、異なるＴＴＩにおいて使用され得る。例えば、ＴＴＩ０においてＳＣＣ３がアップリンク送信を実行するのに使用され、ＴＴＩ１においてＳＣＣ０がアップリンク送信を実行するのに使用され、ＴＴＩ２においてＳＣＣ１がアップリンク送信を実行するのに使用され、ＴＴＩ３においてＳＣＣ２がアップリンク送信を実行するのに使用され、ＴＴＩ４においてＳＣＣ３がアップリンク送信を実行するのに使用され、ＴＴＩ５においてＳＣＣ４がアップリンク送信を実行するのに使用され、ＴＴＩ６においてＳＣＣ４がアップリンク送信を実行するのに使用され、ＴＴＩ７においてＳＣＣ２がアップリンク送信を実行するのに使用される。したがって、送信は、異なる複数のキャリアを使用することによって異なる複数のＴＴＩにおいて実行されてよく、比較的乏しい柔軟性という欠点が解決される。
【０１１３】
本発明のこの実施形態において、任意選択で、端末に関して構成されることができるキャリアの数量は、端末によって同時に使用されることができるキャリアの数量以上である。
【０１１４】
本発明のこの実施形態において、任意選択で、端末が基地局によって送信されるキャリア構成情報を受信する前に、以下のステップがさらに含まれる。
【０１１５】
端末が、端末のキャリア能力を基地局に送信し、キャリア能力は、端末によって同時に使用されることができるキャリアの数量を含む。
【０１１６】
本発明のこの実施形態において、任意選択で、キャリア構成情報は、端末に関して構成されることができる複数のキャリアにおける、各キャリア上で実行されるアップリンク伝送の開始ＴＴＩおよび伝送サイクルを含む。
【０１１７】
例えば、４つの二次コンポーネントキャリア、すなわち、ＳＣＣ０、ＳＣＣ１、ＳＣＣ２、およびＳＣＣ３が存在するとする。キャリア構成情報は、ＳＣＣ０を使用することによって実行されるアップリンク伝送の開始ＴＴＩ０および伝送サイクル０、ＳＣＣ１を使用することによって実行されるアップリンク伝送の開始ＴＴＩ１および伝送サイクル１、ＳＣＣ２を使用することによって実行されるアップリンク伝送の開始ＴＴＩ２および伝送サイクル２、ＳＣＣ３を使用することによって実行されるアップリンク伝送の開始ＴＴＩ３および伝送サイクル３、およびＳＣＣ４を使用することによって実行されるアップリンク伝送の開始ＴＴＩ４および伝送サイクル４を含む。別のキャリアが存在する場合、二次コンポーネントキャリアを使用することによって実行されるアップリンク伝送の開始ＴＴＩおよび伝送サイクルも決定される必要がある。
【０１１８】
本発明のこの実施形態において、基地局は、いくつかの事例においてキャリア上でＳＲＳにより関係付けられた動作を実行する必要がある。例えば、図２Ｄおよび図２Ｅに示されるとおり、基地局は、キャリア上で端末によって送信されるＳＲＳにより重み付けを実行して、ビーム形成を得るようにし、端末は、比較的高い受信レベルを得て、利得を得て、かつ屋外試験を通じて約１２％のアレイ利得を得ることができる。
【０１１９】
別の例として、セル間干渉を低減するのに、ＳＦＮセルに関して、すべてのＲＲＵではなく、ターゲットＲＲＵだけが信号を端末に送信し、ターゲットＲＲＵは、端末によって送信されるＳＲＳを使用することによって識別される。図２Ｆに示されるとおり、ＲＲＵ１、ＲＲ２、ＲＲＵ３、およびＲＲＵ５のすべてが信号を端末１に送信する場合、別の端末によって実行される受信が影響される。干渉を回避するのに、端末１のターゲットＲＲＵが、ＲＲＵ３として選択され得る。同様に、図２Ｇに示されるとおり、端末２のターゲットＲＲＵが、ＲＲＵ４およびＲＲＵ６として選択され得る。
【０１２０】
しかし、現在の例では、端末は、いくつかのキャリア上でＳＲＳを伝送しない。基地局は、基地局がキャリア上でＳＲＳを得ることができないため、キャリア上で重み付けを実行することができず、ビーム形成を実施することができない。
【０１２１】
したがって、基地局が各キャリア上で重み付けを実行して、ビーム形成をさらに実施することができるようにするために、端末が、構成されることができる複数のキャリアにおける異なる複数のキャリアを使用することによって、異なる複数の伝送時間間隔ＴＴＩにおいてアップリンク送信を実行する場合、任意選択で、以下の様態が使用されてよい。
【０１２２】
端末に関して構成されることができる複数のキャリアにおける各キャリアに関して、キャリアに対応する開始ＴＴＩから開始して、端末は、キャリアに対応する伝送サイクルを使用することによってキャリア上でサウンディング基準信号ＳＲＳを送信する。
【０１２３】
例えば、４つのＳＣＣ、すなわち、ＳＣＣ０、ＳＣＣ１、ＳＣＣ２、およびＳＣＣ３が存在するとする。ＳＣＣ０上で端末によって実行されるアップリンク伝送の開始ＴＴＩおよび伝送サイクルは、それぞれ、開始ＴＴＩ０および伝送サイクル０であり、ＳＣＣ１上で端末によって実行されるアップリンク伝送の開始ＴＴＩおよび伝送サイクルは、それぞれ、開始ＴＴＩ１および伝送サイクル１であり、ＳＣＣ２上で端末によって実行されるアップリンク伝送の開始ＴＴＩおよび伝送サイクルは、それぞれ、開始ＴＴＩ２および伝送サイクル２であり、ＳＣＣ３上で端末によって実行されるアップリンク伝送の開始ＴＴＩおよび伝送サイクルは、それぞれ、開始ＴＴＩ３および伝送サイクル３であり、ＳＣＣ４上で端末によって実行されるアップリンク伝送の開始ＴＴＩおよび伝送サイクルは、それぞれ、開始ＴＴＩ４および伝送サイクル４である。ＳＣＣ０に関して、ＴＴＩ０から開始して、ＳＲＳが、伝送サイクル０を使用することによってＳＣＣ０上で伝送され、ＳＣＣ１に関して、ＴＴＩ１から開始して、ＳＲＳが、伝送サイクル１を使用することによってＳＣＣ１上で伝送され、ＳＣＣ２に関して、ＴＴＩ２から開始して、ＳＲＳが、伝送サイクル２を使用することによってＳＣＣ２上で伝送され、ＳＣＣ３に関して、ＴＴＩ３から開始して、ＳＲＳが、伝送サイクル３を使用することによってＳＣＣ３上で伝送される。
【０１２４】
このようにして、端末は、４つすべてのＳＣＣ上でＳＲＳを送信することができる。基地局は、キャリア上のＳＲＳに従って各キャリア上で重み付けを実行して、ビーム形成をさらに実施するようにすることができる。
【０１２５】
本発明のこの実施形態において、同一の開始ＴＴＩおよび同一の伝送サイクルに対応し、かつ端末に関して構成されることができる複数のキャリアにおけるキャリアの最大数量は、端末によって同時に使用されることができるキャリアの数量である。すなわち、端末によって同時に使用されることができるキャリアの数量が３である場合、同一の開始ＴＴＩおよび同一の伝送サイクルに対応する最大で３つのキャリアが存在する。例えば、キャリア１に対応する開始ＴＴＩおよび伝送サイクルがＴＴＩ１および伝送サイクル１であり、キャリア２に対応する開始ＴＴＩおよび伝送サイクルもＴＴＩ１および伝送サイクル１であり、かつキャリア３に対応する開始ＴＴＩおよび伝送サイクルもＴＴＩ１および伝送サイクル１である。すなわち、開始ＴＴＩがＴＴＩ１であり、かつ伝送サイクルが伝送サイクル１である最大で３つのキャリアが存在する。
【０１２６】
無論、前述の様態は、端末によって実際に同時に使用されるキャリアの数量が、端末によって同時に使用されることができるキャリアの数量以下であることを確実にするに過ぎないが、本発明のこの実施形態は、各キャリアに対応する開始ＴＴＩおよび伝送サイクルが、同時に使用されるキャリアの数量が、端末によって同時に使用されることができるキャリアの数量以下であることを確実にすることができ、キャリアの数量は、キャリア能力に含められるという条件付きで、前述の様態に制限されない。
【０１２７】
前述の説明において、キャリア構成情報が開始ＴＴＩおよび伝送サイクルを含む場合、端末は、ターゲットＴＴＩが着信するとき、ＳＲＳを送信する。
【０１２８】
例えば、ＳＣＣ０に対応する開始ＴＴＩおよび伝送サイクルがＴＴＩ０および１０ミリ秒である場合、ＳＲＳが、ＳＣＣ０を使用することによってＴＴＩ０において送信され、ＳＲＳが、ＳＣＣ０を使用することによってＴＴＩ１０において送信され、ＳＲＳが、ＳＣＣ０を使用することによってＴＴＩ２０において送信され、以下同様である。
【０１２９】
無論、ターゲットＴＴＩが着信するときにだけＳＲＳを送信する必要はなく、端末は、ＳＲＳ送信命令を受信したときにＳＲＳを送信してよい。
【０１３０】
したがって、本発明のこの実施形態において、端末が、構成されることができるキャリアにおける異なるキャリアを使用することによって、異なる複数の伝送時間間隔ＴＴＩにおいてアップリンク送信を実行する前に、以下の動作がさらに含まれる。
【０１３１】
端末が、異なるキャリアを使用することによって基地局によって送信されるＳＲＳ送信命令を受信する。
【０１３２】
この事例において、端末が、構成されることができるキャリアにおける異なるキャリアを使用することによって、異なる複数の伝送時間間隔ＴＴＩにおいてアップリンク送信を実行する場合、任意選択で、以下の様態が使用されてよい。
【０１３３】
端末が、ＳＲＳ送信命令を受信するのに使用される異なる複数のキャリアを使用することによって異なる複数のＴＴＩにおいてＳＲＳを送信する。
【０１３４】
前述の説明において、ＳＲＳ送信命令を受信するのに使用されるキャリアは、ＳＲＳを送信するのにも使用される。無論、キャリアの識別子が、ＳＲＳ送信命令において搬送されてよく、ＳＲＳは、識別子に対応するキャリア上で送信される。したがって、本発明のこの実施形態において、端末が、構成されることができるキャリアにおける異なるキャリアを使用することによって、異なる複数の伝送時間間隔ＴＴＩにおいてアップリンク送信を実行することの前に、以下の動作がさらに含まれる。
【０１３５】
端末が、異なるキャリアを使用することによって基地局によって送信されるＳＲＳ送信命令を受信し、ＳＲＳ送信命令は、異なるキャリアに別々に対応する識別子を搬送する。
【０１３６】
この事例において、端末が、構成されることができる複数のキャリアにおける異なる複数のキャリアを使用することによって、異なる複数の伝送時間間隔ＴＴＩにおいてアップリンク送信を実行する場合、任意選択で、以下の様態が使用されてよい。
【０１３７】
端末が、異なる複数の識別子に対応する異なる複数のキャリアを使用することによって異なる複数のＴＴＩにおいてＳＲＳを送信する。
【０１３８】
本発明のこの実施形態において、任意選択で、端末に関して構成されることができるキャリアは、基地局によって使用されるキャリアを含む。
【０１３９】
以上は、端末がキャリアを使用することによってＳＲＳを送信する事例を説明した。無論、端末は、実際のアプリケーションにおいて、キャリアを使用することによってアップリンクデータをさらに送信してよい。
【０１４０】
しかし、端末がＳＲＳまたはアップリンクデータを送信するかどうかは、基地局によってスケジュールされる。したがって、端末が、構成されることができる複数のキャリアにおける異なる複数のキャリアを使用することによって、異なる複数の伝送時間間隔ＴＴＩにおいてアップリンク送信を実行する前に、以下の動作がさらに含まれる。
【０１４１】
端末が、基地局によって送信されるデータ送信命令を受信する。
【０１４２】
この事例において、端末が、構成されることができる複数のキャリアにおける異なる複数のキャリアを使用することによって、異なる複数の伝送時間間隔ＴＴＩにおいてアップリンク送信を実行する場合、任意選択で、以下の様態が使用されてよい。
【０１４３】
端末が、構成されることができる複数のキャリアにおける異なる複数のキャリアを使用することによって、異なる複数の伝送時間間隔ＴＴＩにおいてデータ送信命令に従ってアップリンクデータを送信する。
【０１４４】
さらに、端末が、構成されることができる複数のキャリアにおける異なる複数のキャリアを使用することによって、異なる複数の伝送時間間隔ＴＴＩにおいてアップリンク送信を実行した後、以下の動作がさらに含まれる。
【０１４５】
端末が、キャリア切換え命令を受信し、かつ
端末が、キャリア切換え命令に従って、第１のＴＴＩにおいて第１のキャリア上で伝送されるアップリンクデータを、第２のＴＴＩにおける伝送のために第２のキャリアに切り換える。
【０１４６】
ここで、第１のＴＴＩにおいて第１のキャリア上で伝送されるアップリンクデータを第２のＴＴＩにおける伝送のために第２のキャリアに切り換える場合に、特定の実装形態において、第１のキャリアに対応する伝送チャネルがディセーブルにされ、第２のキャリアに対応する伝送チャネルがイネーブルにされることに留意されたい。
【０１４７】
前述の対応する方法における技術的ソリューションに基づいて、図４Ａに示されるとおり、本発明の実施形態が、通信デバイスを提供する。通信デバイスは、送信ユニット４０と、受信ユニット４１とを含む。
【０１４８】
送信ユニット４０は、キャリア構成情報を端末に送信するように構成され、キャリア構成情報は、端末に関して構成されることができる複数のキャリアを決定するのに使用される。
【０１４９】
受信ユニット４１は、端末に関して構成されることができる複数のキャリアにおける異なる複数のキャリアを使用することによって、異なる複数の伝送時間間隔ＴＴＩにおいてアップリンク受信を実行するように構成される。
【０１５０】
任意選択で、端末に関して構成されることができるキャリアの数量は、端末によって同時に使用されることができるキャリアの数量以上である。
【０１５１】
さらに、受信ユニット４１は、端末によって送信される端末のキャリア能力を受信するようにさらに構成され、キャリア能力は、端末によって同時に使用されることができるキャリアの数量を含む。
【０１５２】
任意選択で、キャリア構成情報は、端末に関して構成されることができる複数のキャリアにおける各キャリア上で実行されるアップリンク伝送の開始ＴＴＩおよび伝送サイクルを含む。
【０１５３】
任意選択で、受信ユニット４１が、端末に関して構成されることができる複数のキャリアにおける異なる複数のキャリアを使用することによって、異なる複数の伝送時間間隔ＴＴＩにおいてアップリンク受信を実行することは、特に、以下のとおりである。
【０１５４】
端末に関して構成されることができる複数のキャリアにおける各キャリアに関して、キャリアに対応する開始ＴＴＩから開始して、受信ユニット４１が、キャリアに対応する伝送サイクルを使用することによってキャリア上で、端末によって送信されるサウンディング基準信号ＳＲＳを受信する。
【０１５５】
任意選択で、同一の開始ＴＴＩおよび同一の伝送サイクルに対応し、かつ端末に関して構成されることができる複数のキャリアにおけるキャリアの最大数量は、端末によって同時に使用されることができるキャリアの数量である。
【０１５６】
さらに、送信ユニット４０は、異なるキャリアを使用することによってＳＲＳ送信命令を端末に送信するようにさらに構成される。
【０１５７】
この事例において、受信ユニット４１が、端末に関して構成されることができる複数のキャリアにおける異なる複数のキャリアを使用することによって、異なる複数のＴＴＩにおいてアップリンク受信を実行することは、特に、
受信ユニット４１が、ＳＲＳ送信命令を送信するのに使用される異なる複数のキャリアを使用することによって異なる複数のＴＴＩにおいて、ＳＲＳ送信命令に従って端末によって送信されるＳＲＳを受信することである。
【０１５８】
さらに、通信デバイスは、受信されたＳＲＳに関して、ＳＲＳに従ってＳＲＳを送信するのに使用されたキャリア上でダウンリンクキャリア処理を実行するように構成された処理ユニット４２をさらに含む。
【０１５９】
任意選択で、端末に関して構成されることができる複数のキャリアは、基地局によって使用されるキャリアを含む。
【０１６０】
さらに、送信ユニット４０は、データ送信命令を端末に送信するようにさらに構成される。
【０１６１】
受信ユニット４１が、端末に関して構成されることができる複数のキャリアにおける異なる複数のキャリアを使用することによって、異なる複数の伝送時間間隔ＴＴＩにおいてアップリンク受信を実行することは、特に、
受信ユニット４１が、端末に関して構成されることができる複数のキャリアにおける異なる複数のキャリアを使用することによって、異なる複数のＴＴＩにおいて、データ送信命令に従って端末によって送信されるアップリンクデータを受信することである。
【０１６２】
さらに、通信デバイスは、第１のＴＴＩにおいてアップリンクデータ伝送が実行される第１のキャリアが事前設定された条件を満たさず、かつ第２のキャリアが事前設定された条件を満たすと決定するように構成された決定ユニット４３をさらに含む。
【０１６３】
送信ユニット４０は、決定ユニット４３が、第１のＴＴＩにおいてアップリンクデータ伝送が実行される第１のキャリアが事前設定された条件を満たさず、かつ第２のキャリアが事前設定された条件を満たすと決定した場合、キャリア切換え命令を端末に送信するようにさらに構成される。
【０１６４】
任意選択で、決定ユニット４３が、第１のＴＴＩにおいてアップリンクデータ伝送が実行される第１のキャリアが事前設定された条件を満たさないと決定することは、特に、
決定ユニット４３が、第１のＴＴＩにおいてアップリンクデータ伝送が実行される第１のキャリアの負荷が事前設定された負荷閾値を超えており、かつ／または第１のキャリアの信号品質が事前設定された信号品質閾値以下であると決定することである。
【０１６５】
この事例において、決定ユニット４３が、第２のキャリアが事前設定された条件を満たすと決定することは、特に、
決定ユニット４３が、第２のキャリアの負荷が事前設定された負荷閾値以下であり、かつ／または第２のキャリアの信号品質が事前設定された信号品質閾値を超えていると決定することである。
【０１６６】
前述の対応する方法における技術的ソリューションに基づいて、図４Ｂに示されるとおり、本発明の実施形態が、通信デバイスを提供する。通信デバイスは、送信機４００と、受信機４１０とを含む。
【０１６７】
送信機４００は、キャリア構成情報を端末に送信するように構成され、キャリア構成情報は、端末に関して構成されることができる複数のキャリアを決定するのに使用される。
【０１６８】
受信機４１０は、端末に関して構成されることができる複数のキャリアにおける異なる複数のキャリアを使用することによって、異なる複数の伝送時間間隔ＴＴＩにおいてアップリンク受信を実行するように構成される。
【０１６９】
送信機４００は、図４Ａにおける送信ユニット４０によって実行されるのとは別の動作を実行するようにさらに構成され、受信機４１０は、図４Ａにおける受信ユニット４１によって実行されるのとは別の動作を実行するようにさらに構成されることに留意されたい。
【０１７０】
通信デバイスは、図４Ａにおける処理ユニット４２によって実行される動作、および決定ユニット４３によって実行される動作を実行するように構成されたプロセッサ４２０をさらに含む。
【０１７１】
前述の対応する方法における技術的ソリューションに基づいて、図５Ａに示されるとおり、本発明の実施形態が、通信デバイスを提供する。通信デバイスは、受信ユニット５０と、決定ユニット５１と、送信ユニット５２とを含む。
【０１７２】
受信ユニット５０は、基地局によって送信されるキャリア構成情報を受信するように構成される。
【０１７３】
決定ユニット５１は、キャリア構成情報に従って、端末に関して構成されることができる複数のキャリアを決定するように構成される。
【０１７４】
送信ユニット５２は、構成されることができる複数のキャリアにおける異なる複数のキャリアを使用することによって、異なる複数の伝送時間間隔ＴＴＩにおいてアップリンク送信を実行するように構成される。
【０１７５】
任意選択で、端末に関して構成されることができる複数のキャリアの数量は、端末によって同時に使用されることができるキャリアの数量以上である。
【０１７６】
さらに、送信ユニット５２は、端末のキャリア能力を基地局に送信するようにさらに構成され、キャリア能力は、端末によって同時に使用されることができるキャリアの数量を含む。
【０１７７】
任意選択で、キャリア構成情報は、端末に関して構成されることができる複数のキャリアにおける各キャリア上で実行されるアップリンク伝送の開始ＴＴＩおよび伝送サイクルを含む。
【０１７８】
任意選択で、送信ユニット５２が、構成されることができる複数のキャリアにおける異なる複数のキャリアを使用することによって、異なる複数の伝送時間間隔ＴＴＩにおいてアップリンク送信を実行することは、特に、
端末に関して構成されることができる複数のキャリアにおける各キャリアに関して、キャリアに対応する開始ＴＴＩから開始して、送信ユニット５２が、キャリアに対応する伝送サイクルを使用することによってキャリア上でサウンディング基準信号ＳＲＳを送信することである。
【０１７９】
任意選択で、同一の開始ＴＴＩおよび同一の伝送サイクルに対応し、かつ端末に関して構成されることができる複数のキャリアにおけるキャリアの最大数量は、端末によって同時に使用されることができるキャリアの数量である。
【０１８０】
さらに、受信ユニット５０は、異なる複数のキャリアを使用することによって基地局によって送信されるＳＲＳ送信命令を受信するようにさらに構成される。
【０１８１】
送信ユニット５２が、構成されることができる複数のキャリアにおける異なる複数のキャリアを使用することによって、異なる複数の伝送時間間隔ＴＴＩにおいてアップリンク送信を実行することは、特に、
送信ユニット５２が、ＳＲＳ送信命令を受信するのに使用される異なる複数のキャリアを使用することによって異なる複数のＴＴＩにおいてＳＲＳを送信することである。
【０１８２】
任意選択で、端末に関して構成されることができる複数のキャリアは、基地局によって使用されるキャリアを含む。
【０１８３】
さらに、受信ユニット５０は、基地局によって送信されるデータ送信命令を受信するようにさらに構成される。
【０１８４】
送信ユニット５２が、構成されることができる複数のキャリアにおける異なる複数のキャリアを使用することによって、異なる複数の伝送時間間隔ＴＴＩにおいてアップリンク送信を実行することは、特に、
送信ユニット５２が、構成されることができる複数のキャリアにおける異なる複数のキャリアを使用することによって、異なる複数の伝送時間間隔ＴＴＩにおいてデータ送信命令に従ってアップリンクデータを送信することである。
【０１８５】
さらに、受信ユニット５０は、キャリア切換え命令を受信するようにさらに構成される。
【０１８６】
送信ユニット５２は、キャリア切換え命令に従って、第１のＴＴＩにおいて第１のキャリア上で伝送されるアップリンクデータを第２のＴＴＩにおける伝送のために第２のキャリアに切り換えるように特に構成される。
【０１８７】
前述の対応する方法における技術的ソリューションに基づいて、図５Ｂに示されるとおり、本発明の実施形態が、通信デバイスを提供する。通信デバイスは、受信機５００と、プロセッサ５１０と、送信機５２０とを含む。
【０１８８】
受信機５００は、基地局によって送信されるキャリア構成情報を受信するように構成される。
【０１８９】
プロセッサ５１０は、キャリア構成情報に従って端末に関して構成されることができる複数のキャリアを決定するように構成される。
【０１９０】
送信機５２０は、構成されることができる複数のキャリアにおける異なる複数のキャリアを使用することによって、異なる複数の伝送時間間隔ＴＴＩにおいてアップリンク送信を実行するように構成される。
【０１９１】
受信機５００は、図５Ａにおける受信ユニット５０によって実行されるのとは別の動作を実行するようにさらに構成され、プロセッサ５１０は、図５Ａにおける決定ユニット５１によって実行されるのとは別の動作を実行するようにさらに構成され、送信機５２０は、図５Ａにおける送信ユニット５２によって実行されるのとは別の動作を実行するようにさらに構成されることに留意されたい。
【０１９２】
当業者は、本発明の実施形態が、方法、システム、またはコンピュータプログラム製品として提供され得ることを理解するはずである。したがって、本発明は、ハードウェアのみの形態、ソフトウェアのみの実施形態、またはソフトウェアとハードウェアの組合せを有する実施形態を使用してよい。さらに、本発明は、コンピュータ使用可能なプログラムコードを含む１つまたは複数のコンピュータ使用可能な記憶媒体（ディスクメモリ、ＣＤ−ＲＯＭ、光メモリ、および類似したものを含むがそれらに限定されない）上に実施されたコンピュータプログラム製品の形態を使用してよい。
【０１９３】
本発明は、本発明の実施形態に従って、方法、デバイス（システム）、およびコンピュータプログラム製品の流れ図および／またはブロック図を参照して説明される。コンピュータプログラム命令が、流れ図および／またはブロック図における各プロセスおよび／または各ブロック、ならびに流れ図および／またはブロック図におけるプロセスおよび／またはブロックの組合せを実施するのに使用され得ることを理解されたい。これらのコンピュータプログラム命令は、汎用コンピュータ、専用コンピュータ、埋め込まれたプロセッサ、または他の任意のプログラマブルデータ処理デバイスのプロセッサに提供されて、機械を生成するようにしてよく、したがって、コンピュータ、または他の任意のプログラマブルデータ処理デバイスのプロセッサによって実行される命令が、流れ図における１つもしくは複数のプロセス、および／またはブロック図における１つもしくは複数のブロックにおける特定の機能を実施するための装置を生成するようにする。
【０１９４】
これらのコンピュータプログラム命令は、特定の様態で動作するようコンピュータ、または他の任意のプログラマブルデータ処理デバイスに命令することができるコンピュータ可読メモリに記憶されてよく、したがって、コンピュータ可読メモリに記憶された命令が、命令装置を含む人工物を生成するようにする。命令装置は、流れ図における１つもしくは複数のプロセス、および／またはブロック図における１つもしくは複数のブロックにおける特定の機能を実施する。
【０１９５】
これらのコンピュータプログラム命令は、コンピュータまたは別のプログラマブルデータ処理デバイスにロードされて、一連の動作およびステップがコンピュータ上、または別のプログラマブルデバイス上で実行されるようにして、その結果、コンピュータ実施処理を生成するようにしてよい。したがって、コンピュータ上、または別のプログラマブルデバイス上で実行される命令が、流れ図における１つもしくは複数のプロセス、および／またはブロック図における１つもしくは複数のブロックにおける特定の機能を実施するためのステップを提供する。
【０１９６】
本発明のいくつかの好ましい実施形態が説明されてきたものの、当業者は、彼らが基本的な発明概念を学ぶと、これらの実施形態に変更および変形を行うことができる。したがって、添付の特許請求の範囲は、好ましい実施形態、ならびに本発明の範囲に入るすべての変更および変形を範囲に含むように解釈されるように意図される。
【０１９７】
明らかに、当業者は、本発明の実施形態の趣旨および範囲を逸脱することなく、本発明の実施形態に様々な変形および変更を行うことができる。本発明は、これらの変形および変更を、それらが添付の特許請求の範囲、およびそれらの均等の技術によって規定される保護の範囲に入るという条件付きで、範囲に含むように意図される。
【図１Ａ】
0006515210.tif 000002
【図１Ｂ】
0006515210.tif 000003
【図２Ａ】
0006515210.tif 000004
【図２Ｂ】
0006515210.tif 000005
【図２Ｃ】
0006515210.tif 000006
【図２Ｄ】
0006515210.tif 000007
【図２Ｅ】
0006515210.tif 000008
【図２Ｆ】
0006515210.tif 000009
【図２Ｇ】
0006515210.tif 000010
【図３】
0006515210.tif 000011
【図４Ａ】
0006515210.tif 000012
【図４Ｂ】
0006515210.tif 000013
【図５Ａ】
0006515210.tif 000014
【図５Ｂ】
0006515210.tif 000015